(57)【要約】【課題】  ネットワーク上の任意の記録装置に対しファイル転送して転送速度を測定すると共に、更にこの記録装置からのファイル転送速度も測定することで、追いかけ再生可否を表示する。【解決手段】  ネットワークを介して外部の記録装置と通信を行う通信部と、前記通信部及びネットワークを介して前記ネットワーク上の記録装置に測定用データを転送し記録させると共に、この記録を行わせつつ記録した前記測定用データを再生させる記録再生制御手段と、前記記録再生制御手段が前記記録および再生を行っている間の時間から記録レートおよび再生レートを算出するレート算出手段と、このレート算出手段による記録レートおよび再生レートから求めた記録再生同時処理レートに応じて、前記記録装置が記録する際の複数の録画再生同時処理モード毎に可否を表示する表示信号を生成する制御部とを具備する。【選択図】      図３
2008028659.tif 000002
【特許請求の範囲】
【請求項１】
ネットワークを介して外部の記録装置と通信を行う通信部と、
前記通信部及びネットワークを介して前記ネットワーク上の記録装置に測定用データを転送し記録させると共に、この記録を行わせつつ記録した前記測定用データを再生させる記録再生制御手段と、
前記記録再生制御手段が前記記録および再生を行っている間の時間から記録レートおよび再生レートを算出するレート算出手段と、
このレート算出手段による記録レートおよび再生レートから求めた記録再生同時処理レートに応じて、前記記録装置が記録する際の複数の録画再生同時処理モード毎に可否を表示する表示信号を生成する制御部とを具備することを特徴とする通信装置。
【請求項２】
放送信号を受けて選局し選局信号を出力するチューナ部と、
前記チューナ部からの選局信号を復調して、映像音声信号を出力する復調部と、
前記復調部からの映像音声信号を外部の記録装置に前記通信部を介して送信するべく制御する制御部とを更に有することを特徴とする請求項１記載の通信装置。
【請求項３】
前記復調部からの映像音声信号及び前記制御部からの前記表示信号に応じた映像を表示する表示部を更に有することを特徴とする請求項２記載の通信装置。
【請求項４】
前記制御部が扱う複数の録画再生同時処理モードは、衛星ハイビジョン信号，地上ハイビジョン信号，標準信号の少なくとも一つを含むことを特徴とする請求項１記載の通信装置。
【請求項５】
前記制御部の前記表示信号に応じた表示画面において、前記録画モードの内、記録ができないと判断した録画モードを示すアイコンの色を退色させることで、記録不能であることを示すことを特徴とする請求項１記載の通信装置。
【請求項６】
通信部によりネットワークを介して外部の記録装置と通信を行い、
記録再生制御手段により、前記通信部及びネットワークを介して前記ネットワーク上の記録装置に測定用データを転送し記録させると共に、この記録を行わせつつ記録した前記測定用データを再生させ、
前記記録再生制御手段が前記記録および再生を行っている間の時間から記録レートおよび再生レートを算出し、
この算出された記録レートおよび再生レートから求めた記録再生同時処理レートに応じて、前記記録装置が記録する際の複数の録画再生同時処理モード毎に可否を表示する表示信号を生成することを特徴とする通信方法。
【発明の詳細な説明】
【技術分野】
【０００１】
この発明は、ネットワーク機能をもつテレビジョン装置等の通信装置に関し、特に受信した放送コンテンツ等を例えば家庭内ネットワークを介してデジタル記録再生機器に記録すると同時に再生させる放送受信装置及びその制御方法に関する。
【背景技術】
【０００２】
周知のように、近年では、テレビジョン放送のデジタル化が推進されている。例えば、日本国内においては、ＢＳ（Broadcasting Satellite）デジタル放送及び１１０度ＣＳ（Communication Satellite）デジタル放送等の衛星デジタル放送だけでなく、地上デジタル放送も開始されている。
【０００３】
そして、このようなデジタルテレビジョン放送を受信するデジタル放送受信装置にあっては、例えばＨＤＤ（Hard Disk Drive）のような大容量のデジタル記録機器を接続することにより、受信した番組をデジタル記録したり、記録した番組を再生したりすることが可能となっている。
【０００４】
このようなデジタル放送受信装置においては、映像や音声情報をデジタル信号で扱うことができるため、例えば、デジタルカメラで撮影されたデジタルデータを、メモリカードに記録された多数の写真を映像表示させる機能も併せ持っている。特許文献１には、メモリカードに記録された多数の写真から、ユーザが所望する画像ファイルを容易に選択して表示させることができる技術が開示されている。
【特許文献１】特開２００３−２９９００８号公報
【発明の開示】
【発明が解決しようとする課題】
【０００５】
しかしながら特許文献１では、例えば、内蔵するチューナからのデジタル信号である映像音声信号を、例えばネットワークを介して、ネットワーク上のハードディスク（ＬＡＮ−ＨＤＤ）等に安定して記録すると同時に再生（以下、この記録すると同時に再生する動作を“追いかけ再生”と記す）させる放送受信装置については開示されていない。
【０００６】
特に、映像音声信号等を提供するテレビジョン装置等の通信装置側からネットワーク上の記録装置へ映像音声信号を送信したときにどれ位の速度で通信が可能であり、その結果、どのレベルの追いかけ再生モードでならば追いかけ再生することが可能か分からないという問題がある。
【０００７】
本発明では、ネットワーク上の任意の記録装置に対しファイル転送して転送速度を測定すると共に、更にこの記録装置からのファイル転送速度も測定することで、追いかけ再生可否を表示する通信装置および通信方法を提供することを目的とする。そして更には複数の追いかけ再生モードの内、どのモードであれば可能かを表示する通信装置および通信方法を提供することを目的とする。
【課題を解決するための手段】
【０００８】
上記の目的を達成するために、この発明においては、ネットワークを介して外部の記録装置と通信を行う通信部と、前記通信部及びネットワークを介して前記ネットワーク上の記録装置に測定用データを転送し記録させると共に、この記録を行わせつつ記録した前記測定用データを再生させる記録再生制御手段と、前記記録再生制御手段が前記記録および再生を行っている間の時間から記録レートおよび再生レートを算出するレート算出手段と、このレート算出手段による記録レートおよび再生レートから求めた記録再生同時処理レートに応じて、前記記録装置が記録する際の複数の録画再生同時処理モード毎に可否を表示する表示信号を生成する制御部とを具備することを特徴とする通信装置を提供する。
【０００９】
また、上記の目的を達成するために、この発明においては、通信部によりネットワークを介して外部の記録装置と通信を行い、記録再生制御手段により、前記通信部及びネットワークを介して前記ネットワーク上の記録装置に測定用データを転送し記録させると共に、この記録を行わせつつ記録した前記測定用データを再生させ、前記記録再生制御手段が前記記録および再生を行っている間の時間から記録レートおよび再生レートを算出し、この算出された記録レートおよび再生レートから求めた記録再生同時処理レートに応じて、前記記録装置が記録する際の複数の録画再生同時処理モード毎に可否を表示する表示信号を生成することを特徴とする通信方法を提供する。
【００１０】
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【発明の効果】
【００１１】
この発明によれば、ネットワーク上の任意の録画装置に対して、テレビジョン装置により生成された記録用データをネットワークを介して転送記録させつつ、この転送記録中に更にこの録画装置から再生した再生データをネットワークを介してテレビジョン装置へ転送することで、追いかけ再生の通信速度を測定する。これにより追いかけ再生モードにおける追いかけ再生可否を判定することができる。
【発明を実施するための最良の形態】
【００１２】
以下、図面を参照しながら本発明の実施形態について説明する。
＜本発明に係る通信装置であるネットワーク機能を備えたテレビジョン装置＞
図１は、本発明に係る通信装置であるネットワーク機能を備えたデジタルテレビジョン放送受信装置１１１の外観と、このデジタルテレビジョン放送受信装置１１１を中心として構成されるネットワークシステムの一例を概略的に示している。
【００１３】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル，液晶表示パネル等でなる平面パネル型の映像表示器１１４、スピーカ１１５、操作部１１６、リモートコントローラ１１７から送信される操作情報を受ける受光部１１８等が設置されている。
【００１４】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１５】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００１６】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００１７】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００１８】
このように、ＬＡＮ対応ＨＤＤ専用ポートとしての第１のＬＡＮ端子１２１を設けることにより、他のネットワーク環境やネットワーク使用状況等に影響されることなく、ＬＡＮ対応のＨＤＤ１２５に対してハイビジョン画質による番組の情報記録を安定して行なうことができる。
【００１９】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、コンテンツサーバー１２８、ＨＤＤ内蔵のＤＶＤ（Digital Versatile Disk）レコーダ１２９等の機器を接続し、これらの機器と情報伝送を行なうために使用される。
【００２０】
なお、コンテンツサーバー１２８については、家庭内ネットワークにおいてコンテンツのサーバー機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００２１】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００２２】
さらに、この第２のＬＡＮ端子１２２は、ハブ１２６に接続されたブロードバンドルータ１３１を介して、例えばインターネット等のネットワーク１３２に接続し、このネットワーク１３２を介してコンテンツサーバー１３３や携帯電話１３４等と情報伝送を行なうために使用される。
【００２３】
なお、コンテンツサーバー１３３についてはコンテンツのサーバー機器として動作するための機能を持ち、さらにコンテンツのアクセスに必要なＵＲＩ情報を提供するサービスを備えたＵＰｎＰ対応機器として構成される。
【００２４】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２５】
さらに、上記ｉ．ＬＩＮＫ端子１２４は、例えばＡＶ−ＨＤＤ１４１、Ｄ（Digital）−ＶＨＳ（Video Home System）１４２等をシリアル接続し、これらの機器と情報伝送を行なうために使用される。
【００２６】
図２は、上記したデジタルテレビジョン放送受信装置１１１の主要な信号処理系を示している。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００２７】
チューナ２４５ａは、制御部２６１からの制御信号により所望のチャンネルの放送信号を選局し、この選局された放送信号をＰＳＫ（Phase Shift Keying）復調器２４５ｂに出力する。
【００２８】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００２９】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００３０】
また、ＴＳ復号器２４５ｃは、デジタル放送により送られているセクション情報を信号処理部２４７内のセクション処理部２４７ｈへ出力する。
また、地上波放送受信用のアンテナ２４８で受信した地上デジタルテレビジョン放送信号は、入力端子２４９を介して地上デジタル放送用のチューナ２５０ａに供給される。
【００３１】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００３２】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００３３】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００３４】
また、ＴＳ復号器２５０ｃは、デジタル放送により送られているセクション情報をセクション処理部２４７ｈへ出力する。
ここで、上記信号処理部２４７は、テレビ視聴時には、ＴＳ復号器２４５ｃおよびＴＳ復号器２５０ｃからそれぞれ供給されたデジタルの映像信号及び音声信号に対して、選択的に所定のデジタル信号処理を施し、グラフィック処理部２５４及び音声処理部２５５に出力している。また、信号処理部２４７は、コンテンツ再生時には、制御部２６１から入力されたコンテンツの再生信号を選択し、所定のデジタル信号処理を施し、グラフィック処理部２５４及び音声処理部２５５に出力している。
【００３５】
制御部２６１には、信号処理部２４７から、番組を取得するための各種データや電子番組ガイド（ＥＰＧ）情報，番組属性情報（番組ジャンル等），字幕情報等（サービス情報、ＳＩやＰＳＩ）が入力されている。
【００３６】
制御部２６１は、これら入力された情報からＥＰＧ，字幕を表示するため画像生成処理を行い、この生成した画像情報をグラフィック処理部２５４へ出力する。
セクション処理部２４７ｈは、ＴＳ復号器２４５ｃ（２５０ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部２６１へ出力する。
【００３７】
グラフィック処理部２５４は、（１）信号処理部２４７内のＡＶデコーダ２４７ｇから供給されるデジタルの映像信号と、（２）ＯＳＤ（On Screen Display）信号生成部２５７で生成されるＯＳＤ信号と、（３）データ放送による画像データと、（４）制御部２６１により生成されたＥＰＧ，字幕信号とを合成して映像処理部２５８へ出力する機能を有する。
【００３８】
また、字幕放送による字幕を表示するとき、グラフィック処理部２５４は、制御部２６１からの制御による字幕情報に基づき、映像信号上に字幕情報を重畳する処理を行う。
【００３９】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００４０】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００４１】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００４２】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００４３】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送することができる。
【００４４】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送することができる。
【００４５】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送することができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００４６】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送することができる。
【００４７】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図１参照）と、ＵＳＢ  Ｉ／Ｆ２７１を介して情報伝送することができる。
【００４８】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ  Ｉ／Ｆ２７２を介して情報伝送することができる。
【００４９】
ところで、この実施形態では、ＬＡＮ対応のＨＤＤ１２５に初期登録時のＨＤＤ１２５、ＨＤＤ１２７、コンテンツサーバー１２８、ＤＶＤレコーダ１２９それぞれに割り当てられたストレージＩＤ（ＩＰアドレス、機器名を含む）を記述した登録ファイルを記憶保持している。
【００５０】
また、不揮発性メモリ２６１ｃに、ＬＡＮ対応のＨＤＤ１２５、ＨＤＤ１２７、コンテンツサーバー１２８、ＤＶＤレコーダ１２９それぞれのストレージＩＤを記憶している。
【００５１】
また、制御部２６１は、この発明に係わる機能として、ＵＰｎＰを利用した（１）サーバー機器発見機能２６１ｄと、（２）ＵＰｎＰを利用したコンテンツ情報取得機能２６１ｅと、（３）コンテンツアクセス制御機能２６１ｆとを備えている。
【００５２】
（１）制御部２６１は、サーバー機器発見機能２６１ｄにより、ＵＰｎＰのディスカバリ機能を用いてネットワーク上のＵＰｎＰ対応機器を発見する。例えばサーバー機器発見機能２６１ｄは、ＵＰｎＰのディスカバリ機能を用いてコンテンツサーバー１２８を発見する。
【００５３】
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、コンテンツサーバー１２８をコントロールし、コンテンツサーバー１２８内のＨＤＤ等に蓄積されているコンテンツをアクセスするために必要なＵＲＩ情報をコンテンツサーバー１２８から取得する。
【００５４】
（３）制御部２６１は、コンテンツアクセス制御機能２６１ｆにより、サーバー機器発見機能２６１ｄにより取得したサーバー機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００５５】
さらに、上記制御部２６１は、ネットワーク上の記録再生処理を行う記録再生機器を登録する登録部２６１ｇと、任意の記録再生位置にファイルを記録させる記録速度を測定する測定制御部２６１ｈとを有しており、後に詳細に説明する測定処理を行うものである。
【００５６】
＜追いかけ再生速度の測定処理＞
次に、このような構成を有する通信装置であるデジタルテレビジョン放送受信装置１１１の、追いかけ再生速度の測定処理について、図面を用いて以下に詳細に説明する。
【００５７】
図３は、本発明の一実施形態に係るデジタルテレビジョン放送受信装置１１１の追いかけ再生速度の測定処理の一例を示すフローチャートである。
図４は、本発明の一実施形態に係るデジタルテレビジョン放送受信装置１１１の追いかけ再生が可能なモードを示す表示画面の一例を示す図である。
図５は、本発明の一実施形態に係るデジタルテレビジョン放送受信装置１１１の追いかけ再生が可能なモードを示す表示画面の一例を示す図である。
図６は、本発明の一実施形態に係るデジタルテレビジョン放送受信装置１１１で追いかけ再生のコントロールを実行する装置を特定したり、測定スタートするためのＧＵＩ画面の一例を示す説明図である。
【００５８】
ステップＳ３０１：初めに、図３のフローチャートに示すように、このデジタルテレビジョン放送受信装置１１１において、制御部２６１の登録部２６１ｇにより、ネットワーク上の追いかけ再生に用いる機器を登録する。即ち、デフォルトにより自動的に、例えば、ネットワーク上の登録番号が一番若い録画機能を有する機器に決定するなどの方法があるが、ユーザの操作によりマニュアルで決定することも可能である。この際、図６に示すように、デジタルテレビジョン放送受信装置１１１の映像表示部１１４に、デジタルテレビジョン放送受信装置１１１を中心としたネットワーク図を表示し、例えば、リモートコントローラ１１７の“ページ切替キー”を用いて、画面中のネットワーク上の記録装置の一つであるＬＡＮ−ＨＤＤ１２７を特定することも好適である。この際、特定されたＬＡＮ−ＨＤＤ１２７のアイコンは、他の記録装置等のアイコンと色彩や輪郭線を異ならせ、特定されたことが視覚的に分かるように表示することが好適である。
【００５９】
この図６に示すＧＵＩについては、機器一覧リストを得、これを用いて生成する。ネットワーク上に接続されている機器を探す方法としては、規格ＵＰｎＰ（Universal Plug & Play）で対応する。
【００６０】
ステップＳ３０２：このような登録画面１１４’上で、リモートコントローラ１１７の例えばカーソルを移動させると共に決定ボタンを押下するなどの操作により“測定スタート”と記載されたボタン６０１が選択されると、追いかけ再生性能の測定が開始される。
【００６１】
ステップＳ３０３：測定がスタートすると、測定制御部２６１ｈに内蔵されるプログラム等の働きにより、測定制御部２６１ｈが持つ記録用の任意の２４Ｍｂｐｓのテストデータを生成し、ＬＡＮ−ＨＤＤ１２７（例えば、図１のＬＡＮ−ＨＤＤ１２７内のハードディスクドライブ）へ転送して記録を開始すると共に、計時を開始する。なお、このステップＳ３０３では２４Ｍｂｐｓのテストデータとしたが、この後の方のステップにて追い掛け再生を行うためにデータを書き込んでおくためのもので、これに限定するものではないが、２４Ｍｂｐｓのテストデータを生成しているのでここでも２４Ｍｂｐｓでデータを書き込むものとして説明する。
【００６２】
ステップＳ３０４：テストデータを記録するＬＡＮ−ＨＤＤ１２７への記録が例えば１分が経過したか否かを判断し、もし１分経過したらステップＳ３０５へ進む。
ステップＳ３０５：テストデータを記録するＬＡＮ−ＨＤＤ１２７への２４Ｍｂｐｓでの記録（衛星ハイビジョン放送１チャンネル分の速度）を実行しながら、更に、この記録したデータの記録開始点から上記記録を優先しながらできるだけ早く再生を行い、この再生したデータをデジタルテレビジョン放送受信装置１１１へ送信させる。このとき、後述する記録優先のモードで制御が行われることにより、記録が破綻することの無い範囲内で再生が実行される。このときできるだけ早く再生を行うために、ＬＡＮ−ＨＤＤ１２７からデータを受け取ったら直ぐにデータの要求をすることを行っている。
【００６３】
ステップＳ３０６：記録が完了したかを判断し、完了したらステップＳ３０７へ進む。
ステップＳ３０７：計時を終了し、追いかけ再生をした間の記録時間を求める。この追いかけ再生をした間については、（計時開始から記録完了迄の期間）−１分から求めることができる。測定制御部２６１ｈの働きにより、例えば、（記録させたテストデータのサイズ）÷（追いかけ再生をした間の記録時間）により、平均の“追いかけ再生時における記録速度”を求める。
【００６４】
ステップＳ３０８：測定制御部２６１ｈの働きにより、例えば、（再生させたテストデータのサイズ）÷（追いかけ再生をした間の記録時間）により、平均の“追いかけ再生時における再生速度”を求める。これら“追いかけ再生時における記録速度”や、“追いかけ再生時における再生速度”は、ＬＡＮ−ＨＤＤ１２７で映像音声信号を追いかけ再生することが可能な速度として求められる。ここでは“追いかけ再生時における記録速度”および“追いかけ再生時における再生速度”の内、低い方の速度を最終的な“追いかけ再生可能な速度”とする。即ち、高画質モードの映像音声信号を再生した場合に、容量が大きすぎるため、ネットワークや通信装置のトータルの転送能力が追いつかず、再生不能となる場合が考えられる。このため転送速度が許容する範囲内で行われる追いかけ再生モードのみが、このＬＡＮ−ＨＤＤ１２７で追いかけ再生対応可能となるものである。そしてＬＡＮ−ＨＤＤ１２７で測定した結果、“追いかけ再生時における記録速度”が２４Ｍｂｐｓ、“追いかけ再生時における再生速度”が２４Ｍｂｐｓであった場合には、“追いかけ再生可能な速度”は２４Ｍｂｐｓとなる。
【００６５】
ステップＳ３０９：“追いかけ再生時における再生速度”に基づき、各録画モードでの追いかけ再生の可否を画面表示する。
このステップＳ３０９は詳細には以下の動作を実行することとなる。
ステップＳ３０８にてＬＡＮ−ＨＤＤ１２７の“追いかけ再生時における再生速度”が２４Ｍｂｐｓ以上であれば衛星ＨＤ番組やＳＤ番組の追いかけ再生は可と判断し、２４Ｍｂｐｓ未満であれば衛星ＨＤ番組の追いかけ再生は不可と判断する。
【００６６】
衛星ＨＤ番組の追いかけ再生は不可であった場合、次に地上ＨＤ番組の追いかけ再生の測定を行う。この測定は、上記ステップＳ３０３〜Ｓ３０８を、２４Ｍｂｐｓから地上ＨＤ番組の１６Ｍｂｐｓに変えて測定を行う。
【００６７】
そしてこの結果、ＬＡＮ−ＨＤＤ１２７の“追いかけ再生時における再生速度”が１６Ｍｂｐｓ以上であれば地上ＨＤ番組やＳＤ番組の追いかけ再生は可と判断し、１６Ｍｂｐｓ未満であれば地上ＨＤ番組の追いかけ再生は不可と判断する。
【００６８】
地上ＨＤ番組の追いかけ再生は不可であった場合、次にＳＤ番組の追いかけ再生の測定を行う。この測定は、上記ステップＳ３０３〜Ｓ３０８を、２４ＭｂｐｓからＳＤ番組の６Ｍｂｐｓに変えて測定を行う。
【００６９】
そしてこの結果、ＬＡＮ−ＨＤＤ１２７の“追いかけ再生時における再生速度”が６Ｍｂｐｓ以上であればＳＤ番組の追いかけ再生は可と判断し、６Ｍｂｐｓ未満であればＳＤ番組の追いかけ再生は不可と判断する。
【００７０】
このようにして求めた追いかけ再生速度に基づき、例えば衛星ＨＤ、地上ＨＤ、ＳＤ等の信号での追いかけ再生処理の可否を図４や図５に示すような画面表示を行う。
【００７１】
なお、記録再生装置においてどのような追いかけ再生モードが存在し、それぞれのモードがどの程度の記録速度、転送速度を要求するかの情報は、ＬＡＮ−ＨＤＤ１２７からデジタルテレビジョン放送受信装置１１１へ情報信号としてネットワークを介して提供されることが好適であるが、これに限るものではない。
【００７２】
また、可能な追いかけ再生等の表示方法は、様々なものが可能となるが、例えば、図４に示すように、画面上に複数の追いかけ再生モードを示すアイコンを表示し、追いかけ再生が可能な追いかけ再生モードのアイコンについては明るく色表示し、追いかけ再生ができない追いかけ再生モードのアイコンについては暗く表示したり退色させる等の視覚的な判別ができるような表示とすることが好適である。
【００７３】
また、図４に示すように、追いかけ再生時に可能な転送速度を録画速度として、例えば、２４．０Ｍｂｐｓ等のように具体的に画面上に表示することも好適である。
また、図５に示すように、上述した追いかけ再生速度に応じて再生可能な追いかけ再生可能な録画モードを表示するものである。
次に、上記追いかけ再生速度検出時における記録優先時のバッファ制御について詳細に説明する。
ここで、上記制御部２６１は、受信した復調後の放送コンテンツを、第２のＬＡＮ端子１２２に接続されたＬＡＮ−ＨＤＤ１２７に送信して記録させるように制御する際、ＬＡＮ−ＨＤＤ１２７に送信すべきデータを、図７（ａ）に示すように、上記ＲＡＭ２６１ｂ内に設定された出力バッファ部７０１に一旦蓄積する。
【００７４】
この出力バッファ部７０１は、家庭内ネットワークの伝送容量、デジタル記録再生機器であるＬＡＮ−ＨＤＤ１２７の記録データ単位等を考慮して、予め設定されたデータ量を記録可能な１０個のブロック７０１ａ，７０１ｂ，７０１ｃ，…，７０１ｊに分割されている。
【００７５】
そして、制御部２６１は、例えば、出力バッファ部７０１にブロック７０１ａからブロック７０１ｊに向けて順次データを書き込んで行き、ブロック７０１ｊへのデータ書き込みが終了すると、再び、ブロック７０１ａにデータを上書きするというように、各ブロック７０１ａ〜７０１ｊに対して循環的にデータの記録を行なうように制御している。
【００７６】
そして、制御部２６１は、ブロック７０１ａが満杯になると、このブロック７０１ａに蓄積されたデータを読み出してＬＡＮ−ＨＤＤ１２７に送信して記録させ、次に、ブロック７０１ｂが満杯になると、このブロック７０１ｂに蓄積されたデータを読み出してＬＡＮ−ＨＤＤ１２７に送信して記録させるというように、各ブロック７０１ａ〜７０１ｊに対して循環的にデータの読み出しを行なうように制御している。
【００７７】
このため、ＬＡＮ−ＨＤＤ１２７に対して、正常に放送コンテンツの記録が行なわれている状態では、出力バッファ部７０１に対するデータの書き込み速度と読み出し速度とのバランスがとれているため、データを書き込んでいるブロックとデータを読み出しているブロックとの２つのブロックだけが循環的に使用されることになり、他の８つのブロックには、既に読み出し済みのデータしか残らないことになる。
【００７８】
これに対し、例えば家庭内ネットワークの負荷状況等によってＬＡＮ−ＨＤＤ１２７へのデータ伝送速度が遅くなると、出力バッファ部７０１に対するデータの書き込み速度に比べて読み出し速度が遅くなるため、出力バッファ部７０１内で、まだ読み出されていないデータを蓄積したブロックの数が順次増えて行くことになる。
【００７９】
そして、出力バッファ部７０１は、その全てのブロック７０１ａ〜７０１ｊが、まだ読み出されてないデータで満杯になったときオーバーフロー状態となり、ＬＡＮ−ＨＤＤ１２７に対する放送コンテンツの記録処理が破綻することになる。
【００８０】
一方、上記制御部２６１は、第２のＬＡＮ端子１２２に接続されたＬＡＮ−ＨＤＤ１２７にアクセスし、ＬＡＮ−ＨＤＤ１２７からＡＶコンテンツを取得して映像表示や音声再生に供させることができる。この場合、制御部２６１は、ＬＡＮ−ＨＤＤ１２７から取得したデータを、図７（ｂ）に示すように、上記ＲＡＭ２６１ｂ内に設定された入力バッファ部７０２に一旦蓄積するように制御する。
【００８１】
この入力バッファ部７０２は、家庭内ネットワークの伝送容量、ＬＡＮ−ＨＤＤ１２７の出力データ単位等を考慮して、予め設定されたデータ量を記録可能な１０個のブロック７０２ａ，７０２ｂ，７０２ｃ，…，７０２ｊに分割されている。
【００８２】
そして、制御部２６１は、例えば、入力バッファ部７０２にブロック７０２ａからブロック７０２ｊに向けて順次データを書き込んで行き、ブロック７０２ｊへのデータ書き込みが終了すると、再び、ブロック７０２ａにデータを上書きするというように、各ブロック７０２ａ〜７０２ｊに対して循環的にデータの記録を行なうように制御している。
【００８３】
そして、制御部２６１は、ブロック７０２ａが満杯になると、このブロック７０２ａに蓄積されたデータを読み出して映像や音声の再生を行ない、次に、ブロック７０２ｂが満杯になると、このブロック７０２ｂに蓄積されたデータを読み出して映像や音声の再生を行なうというように、各ブロック７０２ａ〜７０２ｊに対して循環的にデータの読み出しを行なうように制御している。
【００８４】
ここにおいて、受信した放送コンテンツをＬＡＮ−ＨＤＤ１２７に記録させる処理と、ＬＡＮ−ＨＤＤ１２７からＡＶコンテンツを取得する処理とを同時に実行している状態を考える。この場合、制御部２６１は、出力バッファ部７０１の中で、まだ読み出されていないデータを蓄積しているブロックの数を監視し、このまだ読み出されていないデータを蓄積しているブロック数が８個以上になったとき、ＬＡＮ−ＨＤＤ１２７からのＡＶコンテンツの取得を停止するように制御する。
【００８５】
これにより、ＬＡＮ−ＨＤＤ１２７からデジタルテレビジョン放送受信装置１１にＡＶコンテンツを伝送する分のネットワーク負荷が軽減されることになるので、出力バッファ部７０１がオーバーフローすることを極力防止することができる。このため、ネットワークに接続されたＨＤＤ１２７に対する放送コンテンツの記録処理を、高い信頼性を持って実現することができる。
【００８６】
図８は、上記した制御部２６１の処理動作をまとめたフローチャートを示している。すなわち、処理が開始され、ステップＳ８０１で、ＬＡＮ−ＨＤＤ１２７からＡＶコンテンツを取得する処理が実行されると、制御部２６１は、ステップＳ８０２で、受信した放送コンテンツをＬＡＮ−ＨＤＤ１２７に記録させる処理が実行されているか否かを判別する。
【００８７】
そして、記録処理が実行されていないと判断された場合（ステップＳ８０２のＮＯ）、制御部２６１は、そのまま処理を終了する。
また、上記ステップＳ４０２で記録処理が実行されていると判断された場合（ステップＳ８０２のＹＥＳ）、制御部２６１は、ステップＳ４０３で、出力バッファ部３０１の中で、まだ読み出されないデータを蓄積しているブロックの数が８個以上になったか否かを判別する。
【００８８】
そして、読み出されていないデータを蓄積しているブロックの数が８個未満であると判断された場合（ステップＳ８０３のＮＯ）、制御部２６１は、そのまま処理を終了する。
【００８９】
一方、上記ステップＳ４０３で読み出されていないデータを蓄積しているブロックの数が８個以上であると判断された場合（ステップＳ８０３のＹＥＳ）、制御部２６１は、ステップＳ８０４で、ＬＡＮ−ＨＤＤ１２７からのＡＶコンテンツの取得処理を停止させて、ステップＳ８０１の処理に移行する。
【００９０】
上記した実施の形態によれば、放送コンテンツをＨＤＤ１２７に記録させる処理と、ＬＡＮ−ＨＤＤ１２７からＡＶコンテンツを取得する処理とを同時に実行しているとき、出力バッファ部３０１の中で、まだ読み出されていないデータを蓄積しているブロックの数が８個以上になったとき、ＬＡＮ−ＨＤＤ１２７からのＡＶコンテンツの取得を停止するようにしている。
【００９１】
このため、先に述べたように、ＬＡＮ−ＨＤＤ１２７からＡＶコンテンツを伝送する分のネットワーク負荷が軽減され、出力バッファ部３０１がオーバーフローすることを極力抑えることができ、ネットワーク接続されたＬＡＮ−ＨＤＤ１２７に対する放送コンテンツの記録処理を、高い信頼性を持って実現することができる。
【００９２】
また、上記した実施の形態では、出力バッファ部３０１の中で、まだ読み出されていないデータを蓄積しているブロックの数が８個以上になったとき、ＬＡＮ−ＨＤＤ１２７からのＡＶコンテンツの取得を停止するようにしたが、これは停止だけに限らず、例えば、ＬＡＮ−ＨＤＤ１２７から取得するＡＶコンテンツのデータ量を、正常時よりも少なくするように制限しても良いものである。
【００９３】
以上説明したとおり、本発明によれば、ネットワーク上の任意の録画装置に対して、テレビジョン装置により生成された記録用データをネットワークを介して転送記録させつつ、この転送記録中に更にこの録画装置から再生した再生データをネットワークを介してテレビジョン装置へ転送することで、追いかけ再生の通信速度を測定し、これにより追いかけ再生モードにおける追いかけ再生可否を判定することができる。
【００９４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。例えば、第１の実施形態と第２の実施形態とを組み合わせ、所望の番組属性として、ジャンル、チャンネルを組みとしたものとしてもよい。
【図面の簡単な説明】
【００９５】
【図１】本発明を適用したデジタルテレビジョン放送受信装置１１１の外観と、このデジタルテレビジョン放送受信装置１１１を中心として構成されるネットワークシステムを説明するための図。
【図２】デジタルテレビジョン放送受信装置１１１の主要な信号処理系を示す図。
【図３】本発明の一実施形態に係るデジタルテレビジョン放送受信装置１１１の追いかけ再生速度の測定処理の一例を示すフローチャートである。
【図４】本発明の一実施形態に係るデジタルテレビジョン放送受信装置１１１の追いかけ再生が可能なモードを示す表示画面の一例を示す図である。
【図５】本発明の一実施形態に係るデジタルテレビジョン放送受信装置１１１の追いかけ再生が可能なモードを示す表示画面の一例を示す図である。
【図６】本発明の一実施形態に係るデジタルテレビジョン放送受信装置１１１で追いかけ再生のコントロールを実行する装置を特定したり、測定スタートするためのＧＵＩ画面の一例を示す説明図である。
【図７】ＲＡＭ２６１ｂ内に設定された入力バッファ部７０２のバッファブロックを示す図。
【図８】制御部２６１の処理動作をまとめたフローチャートを示す図。
【符号の説明】
【００９６】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ｉ．ＬＩＮＫ端子、１２５，１２７，１３９…ＨＤＤ、１２６，１３５…ハブ、１２８，１３３…コンテンツサーバー、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ。
【図１】
2008028659.tif 000003
【図２】
2008028659.tif 000004
【図３】
2008028659.tif 000005
【図４】
2008028659.tif 000006
【図５】
2008028659.tif 000007
【図６】
2008028659.tif 000008
【図７】
2008028659.tif 000009
【図８】
2008028659.tif 000010